【手続補正書】
【提出日】平成29年7月6日(2017.7.6)
【手続補正１】
【補正対象書類名】明細書
【補正対象項目名】発明の名称
【補正方法】変更
【補正の内容】
【発明の名称】電気調理器、コントローラ、調理システムおよびプログラム
【手続補正２】
【補正対象書類名】明細書
【補正対象項目名】０００１
【補正方法】変更
【補正の内容】
【０００１】
本発明は、電気調理器、コントローラ、調理システムおよびプログラムに関する。
【手続補正３】
【補正対象書類名】明細書
【補正対象項目名】０００８
【補正方法】変更
【補正の内容】
【０００８】
上記目的を達成するために、本発明に係る電気調理器は、
複数のユーザに消費され得る料理の消費予定量を含む予定情報を受信する受信手段と、
調理開始前に内部に入れられた食材の量、又は、調理完了後に内部に残っている料理量を検出する検出手段と、
前記受信手段が受信した前記消費予定量が、前記検出手段が検出した前記食材の量又は前記料理量を超えている場合に、警告メッセージを報知する報知手段と、
を備える。
【手続補正４】
【補正対象書類名】特許請求の範囲
【補正対象項目名】全文
【補正方法】変更
【補正の内容】
【特許請求の範囲】
【請求項１】
複数のユーザに消費され得る料理の消費予定量を含む予定情報を受信する受信手段と、
調理開始前に内部に入れられた食材の量、又は、調理完了後に内部に残っている料理量を検出する検出手段と、
前記受信手段が受信した前記消費予定量が、前記検出手段が検出した前記食材の量又は前記料理量を超えている場合に、警告メッセージを報知する報知手段と、
を備える電気調理器。
【請求項２】
前記受信手段は、食事を終了したユーザを除いたユーザに消費され得る料理の消費予定量を再受信し、
前記検出手段は、内部に残っている料理量を再検出し、
前記報知手段は、前記受信手段が再受信した前記消費予定量が、前記検出手段が再検出した前記料理量を超えている場合に、前記警告メッセージを報知する、請求項１に記載の電気調理器。
【請求項３】
種々のメッセージを表示する表示手段と、
ユーザの使用する端末装置にメッセージを送信する送信手段と、を更に備え、
前記報知手段は、前記表示手段に前記警告メッセージを表示するか、又は、前記送信手段から前記警告メッセージを送信して前記端末装置に前記警告メッセージを表示させる、請求項１又は２に記載の電気調理器。
【請求項４】
前記報知手段は、前記検出手段が検出した前記食材の量又は前記料理量を示すメッセージを前記表示手段に表示するか、又は、前記送信手段から前記食材の量又は前記料理量を示すメッセージを送信して前記端末装置に前記食材の量又は前記料理量を示すメッセージを表示させる、請求項３に記載の電気調理器。
【請求項５】
自動予約モード時に、調理を開始させる予約時刻を設定する設定手段を更に備え、
前記受信手段が受信する前記予定情報には、各ユーザの食事予定が更に含まれており、
前記設定手段は、前記受信手段が受信した前記食事予定に基づいて、最も早いユーザの食事開始時刻よりも前に調理が完了するように、前記予約時刻を設定し、
前記設定手段は、前記予約時刻を設定後であっても、関係するユーザの食事予定が変更された前記予定情報を、前記予約時刻が到来する前に前記受信手段が受信した場合に、前記予約時刻を再設定する、請求項１から４の何れか１項に記載の電気調理器。
【請求項６】
前記受信手段は、時間帯に応じて定められている電気料金の料金情報を更に受信し、
前記設定手段は、前記受信手段が受信した前記料金情報及び前記食事予定に基づいて、電気料金の安い時間帯で調理を行い、かつ、食事予定が最も早いユーザの食事開始時刻より前に調理が完了するように、前記予約時刻を設定する、請求項５に記載の電気調理器。
【請求項７】
ネットワークを介して電気調理器及び端末装置と通信可能なコントローラであって、
前記端末装置から送られるユーザの食事予定を示す予定情報を受信する予定受信手段と、
前記予定受信手段が受信した前記予定情報を記憶する記憶手段と、
前記記憶手段に記憶された前記予定情報に基づいて、ユーザに消費され得る料理の消費予定量を算出する算出手段と、
前記電気調理器にて検出された、調理開始前に内部に入れられた食材の量、又は、調理完了後に内部に残っている料理量を、前記電気調理器から受信する料理量受信手段と、
前記算出手段が算出した前記消費予定量が、前記料理量受信手段が受信した前記食材の量又は前記料理量を超えている場合に、前記電気調理器又はユーザが使用する前記端末装置に警告メッセージを送信する送信手段と、
を備えるコントローラ。
【請求項８】
ユーザの食事の終了を判定する判定手段を更に備え、
前記算出手段は、前記判定手段が食事の終了を判定したユーザを除いたユーザに消費され得る料理の消費予定量を再算出し、
前記料理量受信手段は、前記電気調理器の内部に残っている料理量を再受信し、
前記送信手段は、前記算出手段が再算出した前記消費予定量が、前記料理量受信手段が再受信した前記料理量を超えている場合に、前記電気調理器又は前記端末装置に前記警告メッセージを送信する、請求項７に記載のコントローラ。
【請求項９】
前記送信手段は、前記料理量受信手段が受信した前記食材の量又は前記料理量を示すメッセージを、前記端末装置に送信する、請求項７又は８に記載のコントローラ。
【請求項１０】
前記電気調理器が自動予約モード時に、調理を開始させる予約時刻を前記電気調理器に設定する設定手段を更に備え、
前記設定手段は、前記記憶手段に記憶された前記予定情報に基づいて、最も早いユーザの食事開始時刻よりも前に調理が完了するように、前記予約時刻を設定し、
前記設定手段は、前記予約時刻を設定後であっても、前記予約時刻が到来する前に前記予定受信手段が受信した前記予定情報から、関係するユーザの食事予定が変更された場合に、前記予約時刻を再設定する、請求項７から９の何れか１項に記載のコントローラ。
【請求項１１】
前記記憶手段は、時間帯に応じて定められている電気料金の料金情報を更に記憶し、
前記設定手段は、前記記憶手段に記憶された前記料金情報及び前記予定情報に基づいて、電気料金の安い時間帯で調理を行い、かつ、食事予定が最も早いユーザの食事開始時刻より前に調理が完了するように、前記予約時刻を設定する、請求項１０に記載のコントローラ。
【請求項１２】
前記電気調理器との通信が不可能であり、
かつ、前記予定情報に食事の予定が登録されている場合に、
前記端末装置に警告メッセージを送信する、
請求項７から１１の何れか１項に記載のコントローラ。
【請求項１３】
調理開始前に電気調理器の内部に入れられた食材の量、又は、調理完了後に内部に残っている料理量を検出する検出手段と、
記憶手段に記憶された予定情報に基づいて、ユーザに消費され得る料理の消費予定量を算出する算出手段と、
警告メッセージを報知する報知手段と、
を備え、
前記消費予定量が、前記検出手段が検出した前記食材の量又は前記料理量を超えている場合に、警告メッセージを報知する、
調理システム。
【請求項１４】
コンピュータに、
複数のユーザに消費され得る料理の消費予定量を含む予定情報を受信する受信ステップと、
調理開始前に内部に入れられた食材の量、又は、調理完了後に内部に残っている料理量を検出する検出ステップと、
前記受信ステップで受信した前記消費予定量が、前記検出ステップで検出した前記食材の量又は前記料理量を超えている場合に、警告メッセージを報知する報知ステップと、
を実行させるためのプログラム。